【手続補正書】
【提出日】平成18年3月16日(2006.3.16)
【手続補正１】
【補正対象書類名】明細書
【補正対象項目名】特許請求の範囲
【補正方法】変更
【補正の内容】
【特許請求の範囲】
【請求項１】  着脱可能な記録媒体に情報を記録する記録装置において、
記録媒体から第１の識別情報を読み出す第１の読み出し手段と、
上記記録媒体から第２の識別情報を読み出す第２の読み出し手段と、
数列を発生する数列発生手段と、
上記数列発生手段で発生された数列を上記記録媒体に第２の識別情報として書き込む書き込み手段とを有し、
上記記録媒体に第２の識別情報が記録されておらず上記第２の読み出し手段による読み出しにより第２の識別情報が得られないとき、上記書き込み手段により第２の識別情報を書き込みこと
を特徴とする記録装置。
【請求項２】  着脱可能な記録媒体に情報を記録する記録装置において、
記録媒体から第１の識別情報を読み出す第１の読み出し手段と、
上記記録媒体から第２の識別情報を読み出す第２の読み出し手段と、
第１の秘密情報を格納する格納手段と、
上記第１の識別情報、上記第２の識別情報及び上記第１の秘密情報に基づいて第２の秘密情報を算出する第２の秘密情報算出手段と、
上記第２の秘密情報を用いて情報を暗号化し、上記記録媒体に記録する第１の暗号化書き込み手段と
を有することを特徴とする記録装置。
【請求項３】  第３の秘密情報を発生する第３の秘密情報発生手段と、上記第３の秘密情報を用いて情報を暗号化し、上記記録媒体に記録する第２の暗号化書き込み手段と、上記第２の秘密情報を用いて上記第３の秘密情報を暗号化し、上記記録媒体に記録する第３の暗号化書き込み手段を有することを特徴とする請求項２記載の記録装置。
【請求項４】  着脱可能な記録媒体に情報を記録する記録方法において、
記録媒体から第１の識別情報を読み出す第１の読み出し工程と、
上記記録媒体から第２の識別情報を読み出す第２の読み出し工程と、
数列を発生する数列発生工程と、
上記数列発生工程で発生された数列を上記記録媒体に第２の識別情報として書き込む書き込み工程とを有し、
上記記録媒体に第２の識別情報が記録されておらず上記第２の読み出し工程による読み出しにより第２の識別情報が得られないとき、上記書き込み工程により第２の識別情報を書き込むこと
を特徴とする記録方法。
【請求項５】  着脱可能な記録媒体に情報を記録する記録方法において、
記録媒体から第１の識別情報を読み出す第１の読み出し工程と、
上記記録媒体から第２の識別情報を読み出す第２の読み出し工程と、
上記第１の識別情報、上記第２の識別情報及び格納された第１の秘密情報に基づいて第２の秘密情報を算出する第２の秘密情報算出工程と、
上記第２の秘密情報を用いて情報を暗号化し、上記記録媒体に記録する第１の暗号化書き込み工程と
を有することを特徴とする記録方法。
【請求項６】  着脱可能な記録媒体から情報を再生する再生装置において、
記録媒体から第１の識別情報を読み出す第１の読み出し手段と、
上記記録媒体から第２の識別情報を読み出す第２の読み出し手段と、
第１の秘密情報を格納する格納手段と、
上記第１の識別情報、上記第２の識別情報及び上記第１の秘密情報に基づいて第２の秘密情報を算出する第２の秘密情報算出手段と、
上記記録媒体から暗号化された情報を読み出し、この情報を上記第２の秘密情報を用いて復号する第１の読み出し復号手段と
を有することを特徴とする再生装置。
【請求項７】  上記記録媒体から暗号化された第３の秘密情報を読み出す第３の読み出し手段と、上記第２の秘密情報を用いて暗号化された第３の秘密情報を復号する第３の秘密情報復号手段と、上記記録媒体から暗号化された情報を読み出し、この情報を上記第３の秘密情報を用いて復号する第２の読み出し復号手段とを有することを特徴とする請求項６記載の再生装置。
【請求項８】  着脱可能な記録媒体から情報を再生する再生方法において、
記録媒体から第１の識別情報を読み出す第１の読み出し工程と、
上記記録媒体から第２の識別情報を読み出す第２の読み出し工程と、
上記第１の識別情報、上記第２の識別情報及び格納された第１の秘密情報に基づいて第２の秘密情報を算出する第２の秘密情報算出工程と、
上記記録媒体から暗号化された情報を読み出し、この情報を上記第２の秘密情報を用いて復号する第１の読み出し復号工程と
を有することを特徴とする再生方法。
【請求項９】  情報を記録媒体に記録するプログラムが記録された記録媒体において、上記プログラムは、
記録媒体から第１の識別情報を読み出す第１の読み出し工程と、
上記記録媒体から第２の識別情報を読み出す第２の読み出し工程と、
数列を発生する数列発生工程と、
上記数列発生工程で発生された数列を上記記録媒体に第２の識別情報として書き込む書き込み工程とを有し、
上記記録媒体に第２の識別情報が記録されておらず上記第２の読み出し工程による読み出しにより第２の識別情報が得られないとき、上記書き込み工程により第２の識別情報を書き込むこと
を特徴とする記録媒体。
【請求項１０】  情報を記録媒体に記録するプログラムが記録された記録媒体において、上記プログラムは、
記録媒体から第１の識別情報を読み出す第１の読み出し工程と、
上記記録媒体から第２の識別情報を読み出す第２の読み出し工程と、
第１の秘密情報を格納する格納工程と、
上記第１の識別情報、上記第２の識別情報及び上記第１の秘密情報に基づいて第２の秘密情報を算出する第２の秘密情報算出工程と、
上記第２の秘密情報を用いて情報を暗号化し、上記記録媒体に記録する第１の暗号化書き込み工程と
を有することを特徴とする記録媒体。
【請求項１１】  情報を記録媒体から再生するプログラムが記録された記録媒体において、上記プログラムは、
記録媒体から第１の識別情報を読み出す第１の読み出し工程と、
上記記録媒体から第２の識別情報を読み出す第２の読み出し工程と、
第１の秘密情報を格納する格納工程と、
上記第１の識別情報、上記第２の識別情報及び上記第１の秘密情報に基づいて第２の秘密情報を算出する第２の秘密情報算出工程と、
上記記録媒体から暗号化された情報を読み出し、この情報を上記第２の秘密情報を用いて復号する第１の読み出し復号工程と
を有することを特徴とする記録媒体。
【手続補正２】
【補正対象書類名】明細書
【補正対象項目名】００１５
【補正方法】削除
【補正の内容】
【手続補正３】
【補正対象書類名】明細書
【補正対象項目名】００１７
【補正方法】変更
【補正の内容】
【００１７】
さらに、本発明に係る記録媒体は、情報を記録媒体に記録するプログラムが記録された記録媒体において、上記プログラムは、記録媒体から第１の識別情報を読み出す第１の読み出し工程と、上記記録媒体から第２の識別情報を読み出す第２の読み出し工程と、第１の秘密情報を格納する格納工程と、上記第１の識別情報、上記第２の識別情報及び上記第１の秘密情報に基づいて第２の秘密情報を算出する第２の秘密情報算出工程と、上記第２の秘密情報を用いて情報を暗号化し、上記記録媒体に記録する第１の暗号化書き込み工程とを有するものである。
【手続補正４】
【補正対象書類名】明細書
【補正対象項目名】００１８
【補正方法】変更
【補正の内容】
【００１８】
そして、本発明に係る記録媒体は、情報を記録媒体から再生するプログラムが記録された記録媒体において、上記プログラムは、記録媒体から第１の識別情報を読み出す第１の読み出し工程と、上記記録媒体から第２の識別情報を読み出す第２の読み出し工程と、第１の秘密情報を格納する格納工程と、上記第１の識別情報、上記第２の識別情報及び上記第１の秘密情報に基づいて第２の秘密情報を算出する第２の秘密情報算出工程と、上記記録媒体から暗号化された情報を読み出し、この情報を上記第２の秘密情報を用いて復号する第１の読み出し復号工程とを有するものである。